(57)【特許請求の範囲】
【請求項１】
光ディスクに記録されている動画ソースを再生する光ディスク再生装置であって、
前記光ディスクに記録されている動画ソースを含むデータを読み出すデータ読み出し手
段と、
前記データ読み出し手段にて読み出されたデータを一次格納しておくメモリ手段と、
前記光ディスクに記録されているデータを外部の映像表示装置に出力する外部出力手段
と、
使用者が光ディスク再生装置に動作指示を送るキー入力手段と、
前記光ディスクに記録されている動画ソースのタイトル及びチャプターを前記外部の映
像表示装置にメニュー表示するメニュー表示手段と、
上記各手段の動作を制御する制御手段と、を有しており、
前記光ディスクに記録されている動画ソースのタイトルデータ及びチャプターデータは
読み出されるとともに前記メモリ手段に格納され、該光ディスクが前記光ディスク再生装
置から取り出されるか、前記光ディスク再生装置の電源が切られるまで前記メモリ手段に
保持され、
前記メニュー表示手段は前記タイトル及び前記チャプターを数値入力する数値入力モー
ドと前記メモリ手段に記録されているタイトルデータ及びチャプターデータをもとに前記
外部の映像表示装置に各チャプターを矩形で表示し、各タイトルごとに該タイトルを構成
しているチャプターを連結してメニュー表示するグラフィカルモードとを備えており、
前記グラフィカルモードのメニュー表示はタイトル数が多い場合は２画面以上に分けて
表示され、チャプター数が多いタイトルを表示する場合は、連続する所定数のチャプター
を１つのチャプター群として矩形で表示され、また、再生開始チャプターとして選択でき
ないチャプターであって連続して配置されているチャプターはチャプター数に関係なく１
つの選択不可能チャプター群として矩形で表示され、
前記チャプター群を有するタイトルの任意のチャプター群が選択されたとき、該選択さ
れたチャプター群は長手方向に拡大されて１チャプターずつ表示されるとともにそれ以外
のチャプター群は長手方向に縮小され、
再生開始チャプターとして選択できるチャプター、選択できないチャプター及び前記チ
ャプター群をそれぞれ色分けして表示し、
前記チャプターは所定数のチャプターごとに、前記チャプター群は１チャプター群ごと
にチャプター又はチャプター群を表す矩形の境界の上部にチャプター番号が表示され、前
記選択不可能チャプター群の前後のチャプター又はチャプター群との境界の上部にもチャ
プター番号が表示され
前記キー入力手段は前記光ディスク再生装置に前記光ディスクの再生開始タイトル及び
チャプターの検索を開始する指示を入力することができ、該検索開始の指示が入力される
と、前記メニュー表示手段が駆動され、
前記キー入力手段は前記グラフィカルモードのメニューでは前記再生開始タイトル及び
チャプターをメニュー上で選択決定し、数値入力モードではタイトル番号及びチャプター
番号を直接入力することを特徴とする光ディクス再生装置。
【請求項２】
光ディスクに記録されている動画ソースを再生する光ディスク再生装置であって、
前記光ディスクに記録されている動画ソースを含むデータを読み出すデータ読み出し手
段と、
前記データ読み出し手段にて読み出されたデータを一次格納しておくメモリ手段と、
前記光ディスクに記録されているデータを外部の映像表示装置に出力する外部出力手段
と、
使用者が光ディスク再生装置に動作指示を送るキー入力手段と、
前記光ディスクに記録されている動画ソースのタイトル及びチャプターを前記外部の映
像表示装置にメニュー表示するメニュー表示手段と、
上記各手段の動作を制御する制御手段と、を有しており、
前記光ディスクに記録されている動画ソースのタイトルデータ及びチャプターデータは
読み出されるとともに前記メモリ手段に格納され、該光ディスクが前記光ディスク再生装
置から取り出されるか、前記光ディスク再生装置の電源が切られるまで前記メモリ手段に
保持され、
前記メニュー表示手段は前記メモリ手段に記録されているタイトルデータ及びチャプタ
ーデータをもとに前記外部の映像表示装置に各チャプターを矩形で表示し、各タイトルご
とに該タイトルを構成しているチャプターを連結してメニュー表示し、
前記メニュー表示はタイトル数が多い場合は２画面以上に分けて表示され、チャプター
数が多いタイトルを表示する場合は、連続する所定数のチャプターを１つのチャプター群
として矩形で表示され、また、再生開始チャプターとして選択できないチャプターであっ
て連続して配置されているチャプターはチャプター数に関係なく１つの選択不可能チャプ
ター群として矩形で表示され、
前記チャプター群を有するタイトルの任意のチャプター群が選択されたとき、該選択さ
れたチャプター群は長手方向に拡大されて１チャプターずつ表示されるとともにそれ以外
のチャプター群は長手方向に縮小され、
再生開始チャプターとして選択できるチャプター、選択できないチャプター及び前記チ
ャプター群をそれぞれ色分けして表示し、
前記チャプターは所定数のチャプターごとに、前記チャプター群は１チャプター群ごと
にチャプター又はチャプター群を表す矩形の境界の上部にチャプター番号が表示され、前
記選択不可能チャプター群の前後のチャプター又はチャプター群との境界の上部にもチャ
プター番号が表示され、
前記キー入力手段は前記光ディスク再生装置に前記光ディスクの再生開始タイトル及び
チャプターの検索を開始する指示を入力することができ、該検索開始の指示が入力される
と、前記メニュー表示手段が駆動され、
前記キー入力手段は前記再生開始タイトル及びチャプターをメニュー上で選択決定する
ことを特徴とする光ディクス再生装置。
【請求項３】
光ディスク内に記録されている動画ソースの再生開始タイトル及びチャプターを選択決
定する再生開始位置決定方法であって、
前記光ディスク内に記録されている全タイトル及びチャプターを読み出し保持するデー
タ保持ステップと、
前記再生開始位置の検索を開始する検索開始ステップと、
前記再生開始タイトル及びチャプターの選択メニューを表示するメニュー表示ステップ
と、
前記メニュー表示ステップにて表示されたメニューをもとに再生開始タイトル及びチャ
プターを決定する再生開始位置決定ステップと、を有しており、
前記メニュー表示ステップは前記タイトル及び前記チャプターを数値入力する数値入力
モードのメニュー表示と前記光ディスクに記録されている全チャプターを矩形で表示し、
各タイトルごとに該タイトルを構成しているチャプターを連結して表示するグラフィカル
モードのメニュー表示とを選択することができ、
前記グラフィカルモードのメニューはタイトル数が多い場合は２画面以上に分けて表示
され、チャプター数の多いタイトルを表示するときは、連続する所定数のチャプターを１
つのチャプター群として矩形で表示し、再生開始チャプターとして選択できないチャプタ
ーであって連続して配置されているチャプターはチャプター数に関係なく選択不可能チャ
プター群として矩形で表示され、
前記チャプター群を有するタイトルの任意のチャプター群が選択されたとき、前記選択
されたチャプター群は長手方向に拡大されて１チャプターずつ表示されるとともにそれ以
外のチャプター群は長手方向に縮小され表示され、
再生開始チャプターとして選択できるチャプター、選択できないチャプター及び前記チ
ャプター群を色分けして表示し、
前記チャプターは所定数のチャプターずつ、前記チャプター群は１チャプター群ずつチ
ャプター番号が前記矩形と矩形の境目の上部に表示され、前記選択不可能チャプター群の
前後のチャプター又はチャプター群との境目の上部にもチャプター番号を表示し、
前記データ保持ステップにて前記光ディスク内の全タイトル及びチャプターの情報を保
持した後、前記検索開始ステップは前記光ディスクが検索開始であるか、停止可能である
か、いずれも不可であるかの判断を行い、検索可能の場合はすぐに及び停止可能の場合は
停止後にメニュー表示ステップに移り、前記タイトル及びチャプターのメニュー表示を行
い、前記再生開始位置決定ステップにて再生開始タイトル及びチャプターを決定すること
を特徴とする光ディスク再生装置の再生開始位置決定方法。
【請求項４】
光ディスク内に記録されている動画ソースの再生開始タイトル及びチャプターを選択決
定する再生開始位置決定方法であって、
前記光ディスク内に記録されている全タイトル及びチャプターを読み出し保持するデー
タ保持ステップと、
前記再生開始位置の検索を開始する検索開始ステップと、
前記再生開始タイトル及びチャプターの選択メニューを表示するメニュー表示ステップ
と、
前記メニュー表示ステップにて表示されたメニューをもとに再生開始タイトル及びチャ
プターを決定する再生開始位置決定ステップと、を有しており、
前記メニュー表示ステップは前記光ディスクに記録されている全チャプターを矩形で表
示し、各タイトルごとに該タイトルを構成しているチャプターを連結してメニュー表示す
ることができ、
前記メニュー表示はタイトル数が多い場合は２画面以上に分けて表示され、チャプター
数の多いタイトルを表示するときは、連続する所定数のチャプターを１つのチャプター群
として矩形で表示し、再生開始チャプターとして選択できないチャプターであって連続し
て配置されているチャプターはチャプター数に関係なく選択不可能チャプター群として矩
形で表示され、
前記チャプター群を有するタイトルの任意のチャプター群が選択されたとき、前記選択
されたチャプター群は長手方向に拡大されて１チャプターずつ表示されるとともにそれ以
外のチャプター群は長手方向に縮小され表示され、
再生開始チャプターとして選択できるチャプター、選択できないチャプター及び前記チ
ャプター群を色分けして表示し、
前記チャプターは所定数のチャプターずつ、前記チャプター群は１チャプター群ずつチ
ャプター番号が前記矩形と矩形の境目の上部に表示され、前記選択不可能チャプター群の
前後のチャプター又はチャプター群との境目の上部にもチャプター番号を表示し、
前記データ保持ステップにて前記光ディスク内の全タイトル及びチャプターの情報を保
持した後、前記検索開始ステップは前記光ディスクが検索開始であるか、停止可能である
か、いずれも不可であるかの判断を行い、検索可能の場合はすぐに及び停止可能の場合は
停止後にメニュー表示ステップに移り、前記タイトル及びチャプターのメニュー表示を行
い、前記再生開始位置決定ステップにて再生開始タイトル及びチャプターを決定すること
を特徴とする光ディスク再生装置の再生開始位置決定方法。
【発明の詳細な説明】
【技術分野】
【０００１】
本発明は、光ディスクに記録されているチャプター（Chapter）及びタイトル（Title）
を光ディクス再生装置に接続された映像表示装置（ＴＶ）にグラフィカルに表示し、再生
開始タイトル及びチャプターを決定できる光ディスク再生装置及び該光ディスクの再生位
置決定方法に関するものである。
【背景技術】
【０００２】
最近映画やスポーツ等のソフトを光ディスクに記録し、光ピックアップを用いて読み出
す光ディスク再生装置が普及している。前記光ディスクとしてはＤＶＤ（Digital Versat
ile Disc）が広く普及している。
【０００３】
前記ＤＶＤはＶｉｄｅｏ再生の単位として、小見出しのチャプター（Chapter）と１つ
又は複数の前記チャプターを組み合わせた大見出しのタイトル（Title）で構成されてい
る。例えば、ＤＶＤは通常複数のタイトルを有しており、各タイトルが複数のチャプター
から構成されている。
【０００４】
前記ＤＶＤ再生装置にてＤＶＤに記録されているＶｉｄｅｏを再生する場合、ＤＶＤを
挿入して再生させると前記ＤＶＤが指示する順番で再生される。例えば映画の場合、オー
プニングから再生がスタートする。
【０００５】
使用者が再生途中に所用で再生をやめてしまった場合、やめた時点で再生されていたタ
イトルナンバー及びチャプターナンバーを記憶していれば、後ほどタイトルナンバー及び
チャプターナンバーを頼りに終了した直後又は直後に近い場所からの再生を容易に行うこ
とができる。
【０００６】
タイトル及びチャプターによって再生スタート位置を決定する場合、使用者はＤＶＤ再
生装置のモニタ及び（又は）ＴＶ画面に現れる表示をみながら該ＤＶＤ再生装置の正面に
設けられた入力キーにてタイトル及びチャプターを入力するか、リモートコントローラの
入力キー用いてタイトル番号とチャプター番号を入力する。
【０００７】
図５（Ａ）、（Ｂ）にＴＶ画面に現れるタイトル及びチャプターサーチ画面を示す。
【０００８】
図５に示すタイトル及びチャプターサーチ画面は、タイトル（ＴＩＴＬＥ）９１とチャ
プター（ＣＨＡＰＴＥＲ）９２が表示されている。タイトル９１及びチャプター９２の後
ろのスペースにはそれぞれタイトルナンバーを入力する２桁の入力部９１１とチャプター
ナンバーを入力する２桁の入力部９２１が備えられている。ここではタイトル、チャプタ
ーに関してはそれぞれ２桁の入力部９１１、９２１を示しているが、それぞれ３桁ずつあ
ってもよい。
【０００９】
ＤＶＤ再生装置の正面に設けられている入力キー又はリモートコントローラの入力キー
を用いてタイトル及びチャプターを入力すると、入力されたタイトルの入力されたチャプ
ターの頭から再生が開始される。例えば、タイトル２のチャプター２３を選択したときは
図５（Ｂ）に示すとおりに表示される。その後、その選択を実行に移すことでタイトル２
のチャプター２３の先頭から再生が開始される。図５（Ａ）、（Ｂ）をみればわかるよう
に、再生時間でもサーチ可能である。
【特許文献１】特開平2002−56653号公報
【発明の開示】
【発明が解決しようとする課題】
【００１０】
しかしながら、映画等のソフトの再生を途中でやめて後ほど再生する場合、タイトル及
びチャプターを覚えておいて再生させることができるが、タイトル及びチャプターは覚え
ておらず、先頭からのおおまかな位置を頼りに再生開始場所を探す場合、タイトル及びチ
ャプターを数値入力するものではおおよその見当が付けにくく、見当をつけて再生してみ
ても見当違いの位置を再生してしまうことがある。
【００１１】
また、ＤＶＤのソフトの中には、条件付で再生可能（サーチして再生するのが不可能）
なチャプターを有するもの（例えば、あるチャプターを見た後でないと、ストーリー展開
がおかしくなったり、謎解きの要素がある場合など答えがばれてしまったりするもの）が
あり、図５のサーチ画面では、サーチ不可能なチャプターの情報に関しても入手できない
のでサーチ先を決定するときに、わかりづらい場合がある。
【００１２】
また、タイトル及びチャプターを数値入力する場合、ＤＶＤ再生装置の正面に取り付け
られた数字キーやリモートコントローラの数字キーを押すことでタイトル及びチャプター
を決定するので、数字の入力が煩雑になる。
【００１３】
そこで本発明は、光ディスクに記録されているタイトル及びチャプターの構成を使用者
が視覚を通じて迅速に理解することができ、再生開始位置を決定することができる光ディ
スク再生装置及び再生開始位置決定方法を提供することを目的とする。
【００１４】
また本発明は、複雑な操作を行うことなく、光ディスクに記録されているタイトル及び
チャプターのうち使用者が要求する再生開始位置を決定しやすい光ディスク再生装置及び
再生開始位置決定方法を提供することを目的とする。
【課題を解決するための手段】
【００１５】
上述の目的を達成するために請求項１に示す発明は、光ディスクに記録されている動画
ソースを再生する光ディスク再生装置であって、前記光ディスクに記録されている動画ソ
ースを含むデータを読み出すデータ読み出し手段と、前記データ読み出し手段にて読み出
されたデータを一次格納しておくメモリ手段と、前記光ディスクに記録されているデータ
を外部の映像表示装置に出力する外部出力手段と、使用者が光ディスク再生装置に動作指
示を送るキー入力手段と、前記光ディスクに記録されている動画ソースのタイトル及びチ
ャプターを前記外部の映像表示装置にメニュー表示するメニュー表示手段と、上記各手段
の動作を制御する制御手段と、を有しており、前記光ディスクに記録されている動画ソー
スのタイトルデータ及びチャプターデータは読み出されるとともに前記メモリ手段に格納
され、該光ディスクが前記光ディスク再生装置から取り出されるか、前記光ディスク再生
装置の電源が切られるまで前記メモリ手段に保持され、前記メニュー表示手段は前記タイ
トル及び前記チャプターを数値入力する数値入力モードと前記メモリ手段に記録されてい
るタイトルデータ及びチャプターデータをもとに前記外部の映像表示装置に各チャプター
を矩形で表示し、各タイトルごとに該タイトルを構成しているチャプターを連結してメニ
ュー表示するグラフィカルモードとを備えており、前記グラフィカルモードのメニュー表
示はタイトル数が多い場合は２画面以上に分けて表示され、チャプター数が多いタイトル
を表示する場合は、連続する所定数のチャプターを１つのチャプター群として矩形で表示
され、また、再生開始チャプターとして選択できないチャプターであって連続して配置さ
れているチャプターはチャプター数に関係なく１つの選択不可能チャプター群として矩形
で表示され、前記チャプター群を有するタイトルの任意のチャプター群が選択されたとき
、該選択されたチャプター群は長手方向に拡大されて１チャプターずつ表示されるととも
にそれ以外のチャプター群は長手方向に縮小され、再生開始チャプターとして選択できる
チャプター、選択できないチャプター及び前記チャプター群をそれぞれ色分けして表示し
、前記チャプターは所定数のチャプターごとに、前記チャプター群は１チャプター群ごと
にチャプター又はチャプター群を表す矩形の境界の上部にチャプター番号が表示され、前
記選択不可能チャプター群の前後のチャプター又はチャプター群との境界の上部にもチャ
プター番号が表示され前記キー入力手段は前記光ディスク再生装置に前記光ディスクの再
生開始タイトル及びチャプターの検索を開始する指示を入力することができ、該検索開始
の指示が入力されると、前記メニュー表示手段が駆動され、前記キー入力手段は前記グラ
フィカルモードのメニューでは前記再生開始タイトル及びチャプターをメニュー上で選択
決定し、数値入力モードではタイトル番号及びチャプター番号を直接入力することを特徴
とする光ディクス再生装置を提供する。
【００１６】
この構成によると、所望の再生開始位置のタイトル及びチャプターがわからなくても、
グラフィカルモードのメニュー表示を利用することで、動画ソースのおおよその位置さえ
わかれば再生位置及び再生位置の極近くのタイトル及びチャプターを選択することができ
、直感的に再生開始位置を決定することが可能である。
【００１７】
また、所望の再生開始位置の正確なタイトル及びチャプターがわかっている場合や、お
およそわかっている場合には、数値入力モードをにて、該再生開始位置のタイトル及びチ
ャプターを入力することで再生開始位置を検索することができ、それだけ迅速に再生開始
位置を決定することが可能である。
【００１８】
また上述の目的を達成するために請求項２に示す発明は、光ディスクに記録されている
動画ソースを再生する光ディスク再生装置であって、前記光ディスクに記録されている動
画ソースを含むデータを読み出すデータ読み出し手段と、前記データ読み出し手段にて読
み出されたデータを一次格納しておくメモリ手段と、前記光ディスクに記録されているデ
ータを外部の映像表示装置に出力する外部出力手段と、使用者が光ディスク再生装置に動
作指示を送るキー入力手段と、前記光ディスクに記録されている動画ソースのタイトル及
びチャプターを前記外部の映像表示装置にメニュー表示するメニュー表示手段と、上記各
手段の動作を制御する制御手段と、を有しており、前記光ディスクに記録されている動画
ソースのタイトルデータ及びチャプターデータは読み出されるとともに前記メモリ手段に
格納され、該光ディスクが前記光ディスク再生装置から取り出されるか、前記光ディスク
再生装置の電源が切られるまで前記メモリ手段に保持され、前記メニュー表示手段は前記
メモリ手段に記録されているタイトルデータ及びチャプターデータをもとに前記外部の映
像表示装置に各チャプターを矩形で表示し、各タイトルごとに該タイトルを構成している
チャプターを連結してメニュー表示し、前記メニュー表示はタイトル数が多い場合は２画
面以上に分けて表示され、チャプター数が多いタイトルを表示する場合は、連続する所定
数のチャプターを１つのチャプター群として矩形で表示され、また、再生開始チャプター
として選択できないチャプターであって連続して配置されているチャプターはチャプター
数に関係なく１つの選択不可能チャプター群として矩形で表示され、前記チャプター群を
有するタイトルの任意のチャプター群が選択されたとき、該選択されたチャプター群は長
手方向に拡大されて１チャプターずつ表示されるとともにそれ以外のチャプター群は長手
方向に縮小され、再生開始チャプターとして選択できるチャプター、選択できないチャプ
ター及び前記チャプター群をそれぞれ色分けして表示し、前記チャプターは所定数のチャ
プターごとに、前記チャプター群は１チャプター群ごとにチャプター又はチャプター群を
表す矩形の境界の上部にチャプター番号が表示され、前記選択不可能チャプター群の前後
のチャプター又はチャプター群との境界の上部にもチャプター番号が表示され、前記キー
入力手段は前記光ディスク再生装置に前記光ディスクの再生開始タイトル及びチャプター
の検索を開始する指示を入力することができ、該検索開始の指示が入力されると、前記メ
ニュー表示手段が駆動され、前記キー入力手段は前記再生開始タイトル及びチャプターを
メニュー上で選択決定することを特徴とする光ディクス再生装置を提供する。
この構成によると、所望の再生開始位置のタイトル及びチャプターがわからなくても、動
画ソースのおおよその位置さえわかれば再生位置及び再生位置の極近くのタイトル及びチ
ャプターを選択することができ、直感的に再生開始位置を決定することが可能である。
【００１９】
上述の目的を達成するために請求項３に示す発明は、光ディスク内に記録されている動
画ソースの再生開始タイトル及びチャプターを選択決定する再生開始位置決定方法であっ
て、前記光ディスク内に記録されている全タイトル及びチャプターを読み出し保持するデ
ータ保持ステップと、前記再生開始位置の検索を開始する検索開始ステップと、前記再生
開始タイトル及びチャプターの選択メニューを表示するメニュー表示ステップと、前記メ
ニュー表示ステップにて表示されたメニューをもとに再生開始タイトル及びチャプターを
決定する再生開始位置決定ステップと、を有しており、前記メニュー表示ステップは前記
タイトル及び前記チャプターを数値入力する数値入力モードのメニュー表示と前記光ディ
スクに記録されている全チャプターを矩形で表示し、各タイトルごとに該タイトルを構成
しているチャプターを連結して表示するグラフィカルモードのメニュー表示とを選択する
ことができ、前記グラフィカルモードのメニューはタイトル数が多い場合は２画面以上に
分けて表示され、チャプター数の多いタイトルを表示するときは、連続する所定数のチャ
プターを１つのチャプター群として矩形で表示し、再生開始チャプターとして選択できな
いチャプターであって連続して配置されているチャプターはチャプター数に関係なく選択
不可能チャプター群として矩形で表示され、前記チャプター群を有するタイトルの任意の
チャプター群が選択されたとき、前記選択されたチャプター群は長手方向に拡大されて１
チャプターずつ表示されるとともにそれ以外のチャプター群は長手方向に縮小され表示さ
れ、再生開始チャプターとして選択できるチャプター、選択できないチャプター及び前記
チャプター群を色分けして表示し、前記チャプターは所定数のチャプターずつ、前記チャ
プター群は１チャプター群ずつチャプター番号が前記矩形と矩形の境目の上部に表示され
、前記選択不可能チャプター群の前後のチャプター又はチャプター群との境目の上部にも
チャプター番号を表示し、前記データ保持ステップにて前記光ディスク内の全タイトル及
びチャプターの情報を保持した後、前記検索開始ステップは前記光ディスクが検索開始で
あるか、停止可能であるか、いずれも不可であるかの判断を行い、検索可能の場合はすぐ
に及び停止可能の場合は停止後にメニュー表示ステップに移り、前記タイトル及びチャプ
ターのメニュー表示を行い、前記再生開始位置決定ステップにて再生開始タイトル及びチ
ャプターを決定することを特徴とする光ディスク再生装置の再生開始位置決定方法を提供
する。
【００２０】
この構成によると、所望の再生開始位置のタイトル及びチャプターがわからなくても、
グラフィカルモードのメニュー表示を利用することで、動画ソースのおおよその位置さえ
わかれば再生位置及び再生位置の極近くのタイトル及びチャプターを選択することができ
、直感的に再生開始位置を決定することが可能である。
【００２１】
また、所望の再生開始位置の正確なタイトル及びチャプターがわかっている場合や、お
およそわかっている場合には、数値入力モードをにて、該再生開始位置のタイトル及びチ
ャプターを入力することで再生開始位置を検索することができ、それだけ迅速に再生開始
位置を決定することが可能である。
【００２２】
また、既存の光ディスク再生装置に対しても制御用のプログラムを追加することで、グ
ラフィカルモードによる再生開始位置決定方法を付加することが可能である。
【００２３】
上述の目的を達成するために請求項４に示す発明は、光ディスク内に記録されている動
画ソースの再生開始タイトル及びチャプターを選択決定する再生開始位置決定方法であっ
て、前記光ディスク内に記録されている全タイトル及びチャプターを読み出し保持するデ
ータ保持ステップと、前記再生開始位置の検索を開始する検索開始ステップと、前記再生
開始タイトル及びチャプターの選択メニューを表示するメニュー表示ステップと、前記メ
ニュー表示ステップにて表示されたメニューをもとに再生開始タイトル及びチャプターを
決定する再生開始位置決定ステップと、を有しており、前記メニュー表示ステップは前記
光ディスクに記録されている全チャプターを矩形で表示し、各タイトルごとに該タイトル
を構成しているチャプターを連結してメニュー表示することができ、前記メニュー表示は
タイトル数が多い場合は２画面以上に分けて表示され、チャプター数の多いタイトルを表
示するときは、連続する所定数のチャプターを１つのチャプター群として矩形で表示し、
再生開始チャプターとして選択できないチャプターであって連続して配置されているチャ
プターはチャプター数に関係なく選択不可能チャプター群として矩形で表示され、前記チ
ャプター群を有するタイトルの任意のチャプター群が選択されたとき、前記選択されたチ
ャプター群は長手方向に拡大されて１チャプターずつ表示されるとともにそれ以外のチャ
プター群は長手方向に縮小され表示され、再生開始チャプターとして選択できるチャプタ
ー、選択できないチャプター及び前記チャプター群を色分けして表示し、前記チャプター
は所定数のチャプターずつ、前記チャプター群は１チャプター群ずつチャプター番号が前
記矩形と矩形の境目の上部に表示され、前記選択不可能チャプター群の前後のチャプター
又はチャプター群との境目の上部にもチャプター番号を表示し、前記データ保持ステップ
にて前記光ディスク内の全タイトル及びチャプターの情報を保持した後、前記検索開始ス
テップは前記光ディスクが検索開始であるか、停止可能であるか、いずれも不可であるか
の判断を行い、検索可能の場合はすぐに及び停止可能の場合は停止後にメニュー表示ステ
ップに移り、前記タイトル及びチャプターのメニュー表示を行い、前記再生開始位置決定
ステップにて再生開始タイトル及びチャプターを決定することを特徴とする光ディスク再
生装置の再生開始位置決定方法を提供する。
【００２４】
この構成によると、所望の再生開始位置のタイトル及びチャプターがわからなくても、
動画ソースのおおよその位置さえわかれば再生位置及び再生位置の極近くのタイトル及び
チャプターを選択することができ、直感的に再生開始位置を決定することが可能である。
【００２５】
また、既存の光ディスク再生装置に対しても制御用のプログラムを追加することで、グ
ラフィカルモードによる再生開始位置決定方法を付加することが可能である。
【発明の効果】
【００２６】
本発明によると、光ディスクに記録されているタイトル及びチャプターの構成を使用者
が視覚を通じて迅速に理解することができ、再生開始位置を決定することができる光ディ
スク再生装置及び再生開始位置決定方法を提供することができる。
【００２７】
また本発明によると、複雑な操作を行うことなく、光ディスクに記録されているタイト
ル及びチャプターのうち使用者が要求する再生開始位置を決定しやすい光ディスク再生装
置及び再生開始位置決定方法を提供することができる。
【発明を実施するための最良の形態】
【００２８】
以下に本発明を実施するための最良の形態を図面を参照して説明する。図１は本発明に
かかる光ディスク再生装置の一例であるＤＶＤ再生装置の概略配置図である。
【００２９】
図１に示すＤＶＤ再生装置ＡはＤＶＤメディアＭｄに記録されている動画ソースを含む
データを読み出すデータ読み出し手段１と、データ読み出し手段１にて読み出されたデー
タを一次格納しておくメモリ手段であるメモリ２と、動画ソースを外部のＴＶに出力する
外部出力手段３と、使用者がＤＶＤ再生装置Ａに動作指示を送るキー入力手段４と、動画
ソースのタイトル及びチャプターをＴＶにメニュー表示するメニュー表示手段５と、上記
各手段の動作を制御する制御手段６と、を備えている。
【００３０】
データ読み出し手段１は、ＤＶＤメディアＭｄの記録層にレーザ光を照射し反射光を検
出することでＤＶＤメディアＭＤに記録されているデータを読み出す光ピックアップ１１
と、ＤＶＤメディアＭＤを一定回転速度で回転させるスピンドルモータ１２とを備えてい
る。
【００３１】
外部出力手段３は、デジタルＴＶ等のデジタルの映像表示装置に動画ソースを出力する
ためのデジタル出力部３１と、ＴＶ等のアナログの映像表示装置に動画ソースを出力する
ためのアナログ出力部３２とを備えており、アナログ出力部３２は動画ソースをデジタル
からアナログに変換するＤ／Ａコンバータ３２１を備えている。ここでは外部の映像表示
装置として、アナログのＴＶを採用している。
【００３２】
キー入力手段４は、ＤＶＤ再生装置Ａの前面に設けられた操作パネル４１と、リモート
コントローラ４２とを備えている。操作パネル４１は図１に示すように前スクロールキー
４１１と、後スクロールキー４１２と、決定キー４１３と、再生開始位置を検索するサー
チキー４１４とを有している。また、リモートコントローラ４２も図示を省略したが操作
パネルと同様の上下スクロールキー、決定キー及びサーチキーを備えている。
【００３３】
図２に本発明にかかるメニュー表示状態の概略図を示す。
【００３４】
メニュー表示手段５は従来用いられているタイトル及びチャプターを数値入力する数値
入力モード（図５参照）と、チャプターを矩形Ｃｈで表示し各タイトルＴｉごとにタイト
ルＴｉを構成するチャプターを示す矩形Ｃｈを連結して表示するグラフィカルモード（図
２参照）とを備えている。
【００３５】
図２示されているようにグラフィカルモードのメニュー表示は左端にタイトルＴｉを付
してあり、タイトルＴｉの右側にタイトルＴｉを構成しているチャプターを示す矩形Ｃｈ
が連結して配置されている。連結されているチャプターを示す矩形Ｃｈの連結部上部Ｃｕ
にそれには限定されないが、ここでは、５チャプターずつチャプター番号Ｃｎが付けられ
ている。操作パネル４１の前スクロールキー４１１及び後スクロールキー４１２と決定キ
ー４１３を用いて、矩形のチャプターを選択決定することで、選択されたチャプターから
再生することが可能である。
【００３６】
図２に示すようなチャプター数が多いタイトルの場合、それには限定されないがここで
は、連続する１０チャプターずつをチャプター群として１つの矩形Ｃｆで表示する。チャ
プター群Ｃｆは１０チャプターずつのチャプターがまとまったものであり、隣り合うチャ
プター群Ｃｆの連結部上部Ｆｕには１０チャプターずつのチャプター番号Ｃｎが付けられ
ている。
【００３７】
図２（Ｂ）に示すようにチャプター群Ｃｆ２を選択すると、選択されたチャプター群Ｃ
ｆ１は長手方向（図中横方向）に拡大され、チャプター群Ｃｆ２に含まれるチャプターＣ
ｈは１つずつ表示され、選択されたチャプター群Ｃｆ２以外のチャプター群Ｃｆ１、Ｃｆ
３、Ｃｆ４は長手方向に圧縮されて表示される。
【００３８】
また、例えば動画ソースのストーリー展開に影響がある等によって、メニュー表示から
再生開始チャプターとして選択できない選択不可能なチャプターＵｃが存在する。この場
合、図２（Ａ）のタイトル３に示すように、再生開始チャプターとして選択可能なチャプ
ター、チャプター群及び選択不可能チャプターを異なる色を用いて表現している。選択不
可能チャプターＵｃが連続して続く場合はチャプター数に関係なく１つの選択不可能チャ
プター群Ｕｆとして矩形で表される。
【００３９】
図２（Ａ）のタイトル４に示しているように選択不可能チャプター群Ｕｆは、それには
限定されないが選択不可能チャプターＵｆと同一の色で表示されており、選択不可能チャ
プター群Ｕｆの直前及び直後のチャプターＣｈ又はチャプター群Ｃｆの連結部上部Ｃｕ、
Ｆｕにチャプター番号が示される。
【００４０】
例えばタイトル１のチャプター１４を選択したい場合は、まず、前スクロールキー４１
１又は後スクロールキー４１２を用いてタイトル１を選択決定する。そうすると、選択さ
れたタイトルの先頭のチャプター及びチャプター群が点滅するので、再度前スクロールキ
ー４１１又は後スクロールキー４１２を用いて選択したいチャプター群が点滅するように
する。
【００４１】
ここでは左から２番目のチャプター群Ｃｆ２が点滅した状態で決定キー４１３を押すと
、図２（Ｂ）に示しているように１１チャプターＣｈ１１から２０チャプターＣｈ２０が
それぞれチャプター表示されると共に、１〜１０、２１〜３０、３１〜４０チャプター群
Ｃｆ１、Ｃｆ３、Ｃｆ４は長手方向に圧縮されて表示される。この状態で前スクロールキ
ー４１１又は後スクロールキー４１２を用いて１４チャプターＣｈ１４に点滅を移動させ
、決定キー４１３を押すことで再生開始位置を決定する。
【００４２】
少ないチャプターから構成されるタイトル、例えば図２（Ａ）のタイトル２の場合は、
直接チャプターを選択することで再生開始位置を決定することができる。また、当然なが
ら、選択不可能チャプター及びチャプター群は選択決定することができない。このとき、
選択不可能である旨のメッセージが出るようにしていてもよい。
【００４３】
図３にＤＶＤ再生装置にＤＶＤを挿入したときの初期動作の手順のフローチャートを示
す。
【００４４】
まず、ＤＶＤ再生装置ＡにＤＶＤメディアＭＤを挿入する（ステップＳ１１）。ステッ
プＳ１１で挿入されたＤＶＤメディアＭＤに記録されている基本的なディスクデータ（デ
ィスクのタイトルデータ及びチャプターデータ）の読み込みを開始する（ステップＳ１２
）。ＤＶＤ内に記録されているタイトルデータの読み込みを完了する（ステップＳ１３）
。停止状態から各タイトルを選択することができるかチェックする（ステップＳ１４）。
タイトルの先頭を選択可能かどうか判定する（ステップＳ１５）。
【００４５】
タイトルの先頭を選択可能な場合（ステップＳ１５でＹＥＳの場合）、タイトルの先頭
からそのタイトルを構成する各チャプターを選択可能かどうか検出する（ステップＳ１６
）。タイトルの先頭を選択できない場合（ステップＳ１５でＮＯの場合）又はステップＳ
１６で各チャプターが選択可能かどうか検出した後、その結果（タイトル先頭が選択可能
であるか否か、チャプターが選択可能か否か）をメモリ２に格納する（ステップＳ１７）
。
【００４６】
全てのタイトルについて検出したかどうか判断する（ステップＳ１８）。全てのタイト
ルについてタイトル先頭を選択可能かどうか検出していない場合（ステップＳ１８にてＮ
Ｏの場合）、次のタイトルについてステップＳ１４に戻り以上の手順で次のタイトル及び
チャプターについて上記の手順で選択可能かどうか検出する。全てのタイトルについて選
択可能かどうか検出した場合（ステップＳ１８でＹＥＳの場合）、読み込みを終了（ステ
ップＳ１９）し、読み込み動作を終了する。
【００４７】
図４にグラフィカルモードのメニュー表示を利用しての再生位置選択手順のフロー図を
示す。
【００４８】
まずキー入力手段４に備えられているサーチキー４１４が押される（ステップＳ２１）
。このとき再生開始位置の選択が可能かどうか判断する（ステップＳ２２）。再生開始位
置の選択が不可能な場合（ステップＳ２２でＮＯの場合）ＤＶＤ再生装置Ａを停止できる
かどうか判断する（ステップＳ２３）。停止できない場合（ステップＳ２３でＮＯの場合
）再度ステップＳ２２の手前に戻って再生開始位置の選択が可能かどうか判断する。再生
開始位置の選択可能な場合（ステップＳ２２でＹＥＳの場合）及び再生開始位置の選択は
不可能であるが、ＤＶＤ再生装置Ａを停止することができる場合（ステップＳ２３でＹＥ
Ｓの場合）現在の再生位置を記憶する（ステップＳ２４）。
【００４９】
タイトル及びチャプターを図示するメニュー画面をＴＶに表示する（ステップＳ２５）
。再生開始位置を検索するかどうか使用者からの入力を待つ（ステップＳ２６）。使用者
からの検索中止の指示があった場合（ステップＳ２６でＮＯの場合）、ステップＳ２４で
記憶した再生位置に戻り再生を開始する（ステップＳ２７）。使用者が再生開始位置の検
索の指示があった場合（ステップＳ２６でＹＥＳの場合）、再生開始位置のタイトル及び
チャプターを選択決定する（ステップＳ２８）。選択決定されたタイトル及び（又は）チ
ャプターより再生を開始する（ステップＳ２９）。
【図面の簡単な説明】
【００５０】
【図１】本発明にかかる光ディスク再生装置の一例であるＤＶＤ再生装置の概略配置図である。
【図２】図（Ａ）、図（Ｂ）は本発明にかかるタイトル及びチャプターメニュー表示の一例の概略図である。
【図３】ＤＶＤ再生装置にＤＶＤメディアを挿入してからデータを読み込み終えるまでの手順を示すフローチャートである。
【図４】本発明にかかる再生開始位置を選択決定する手順を示すフローチャートである。
【図５】図（Ａ）、図（Ｂ）は従来のタイトル及びチャプターメニュー表示の一例の概略図である。
【符号の説明】
【００５１】
Ａ  ＤＶＤ再生装置
１  データ読み出し手段
１１  光ピックアップ
１２  スピンドルモータ
２  メモリ
３  外部出力手段
３１  デジタル出力部
３２  アナログ出力部
３２１  Ｄ／Ａコンバータ
４  キー入力手段
４１  操作パネル
４１１  前スクロールキー
４１２  後スクロールキー
４１３  決定キー
４１４  サーチキー
４２  リモートコントローラ
５  メニュー表示手段
【図１】
0003724579.tif 000002
【図２】
0003724579.tif 000003
【図３】
0003724579.tif 000004
【図４】
0003724579.tif 000005
【図５】
0003724579.tif 000006